(57)【要約】【課題】　現像器の入れ換え時における接触衝撃による画像品質の劣化及び感光体の寿命の低下を抑え，高圧接点の切換の信頼性を高めるために現像器を固定した状態で接点の切換を行なうことができる現像器の電圧供給装置を提供する。【解決手段】　電圧供給装置（１００）は，色別の現像器に電圧を供給する現像器の電圧供給装置であって，高電圧を発生する高圧供給源に接続された接続回路基板（１９５）と；前記色別の現像器の一端に備えられた複数の固定接点端子；及び前記高圧供給源からの電圧を前記色別の現像器に選択的に供給するために接続回路基板と前記固定接点端子を選択的に接続する複数の電圧切換ユニット（１１０）とを含む。【選択図】　図３
2004126584.tif 000002
【特許請求の範囲】
【請求項１】
　色別の現像器に電圧を供給する現像器の電圧供給装置であって：
　高電圧を発生する高圧供給源に接続された接続回路基板と；
　前記色別の現像器の一端に備えられた複数の固定接点端子と；
　前記高圧供給源からの電圧を前記色別の現像器に選択的に供給するために前記接続回路基板と前記固定接点端子を選択的に接続する複数の電圧切換ユニットと；
　を含むことを特徴とする，現像器の電圧供給装置。
【請求項２】
　前記現像器の電圧供給装置は，前記接続回路基板の一方に備えられる入力端子及び出力端子を更に含むことを特徴とする，請求項１に記載の現像器の電圧供給装置。
【請求項３】
　前記出力端子と前記固定接点端子との間には端子接続部を更に含み，前記端子接続部は，前記現像器の互いに異なる多数の構成要素に電源を供給することを特徴とする，請求項２に記載の現像器の電圧供給装置。
【請求項４】
　前記端子接続部は，弾性力のあるスプリング端子から少なくとも構成されることを特徴とする，請求項３に記載の現像器の電圧供給装置。
【請求項５】
　前記電圧切換ユニットは，前記出力端子と前記入力端子を選択的に接触させることにより前記色別の現像器に高電圧を印加することを特徴とする，請求項２に記載の現像器の電圧供給装置。
【請求項６】
　前記高圧供給源は，現像ローラー電圧部，現像剤供給ローラー電圧部及び現像剤層厚規制ブレード電圧部を含む単一の電圧供給源から構成されることを特徴とする，請求項１に記載の現像器の電圧供給装置。
【請求項７】
　色別の現像器に電圧を供給する現像器の電圧供給装置であって：
　高電圧を発生する高圧供給源に接続された接続回路基板と；
　前記接続回路基板に備えられた複数の入力端子及び出力端子と；
　前記色別の現像器の一端に備えられた複数の固定接点端子と；
　前記出力端子と前記固定接点端子とを接続する複数の端子接続部と；
　前記高圧供給源からの電圧を前記色別の現像器に選択的に供給するために前記出力端子に電圧を選択的に印加するリレー部から構成された複数の電圧切換ユニットと；
　を含むことを特徴とする，現像器の電圧供給装置。
【請求項８】
　前記リレー部は，
　前記接続回路基板に設けられた保持部材と；
　前記保持部材に固定され，電流により磁気化する電磁石と；
　前記電磁石が動作する時に前記電磁石の磁力により前記電磁石と接離するように，前記保持部材に対し回動自在に配設されたアーマチュアと；
　前記アーマチュアが前記電磁石と接離する時に前記アーマチュアにより互いに接離して電圧の供給をスイッチングするように，互いに所定の間隔を隔てて向い合って前記接続回路基板の電圧供給経路上に配設された少なくとも一対のリレー入力及び出力端子と；
　を含むことを特徴とする，請求項７に記載の現像器の電圧供給装置。
【請求項９】
　前記アーマチュアは，前記電磁石が動作する時に前記電磁石の磁力により前記電磁石と接離するように設けられた一端部，及び前記一端部が前記電磁石と接触する時に前記リレー入力及び出力端子を互いに接触させるように設けられた他端部を備えるＬ字状の金属板部材を含むことを特徴とする，請求項８に記載の現像器の電圧供給装置。
【請求項１０】
　前記アーマチュアは，前記一端部が前記電磁石と接触する際に，前記他端部が前記リレー入力及び出力端子を互いに接触させるように，前記リレー入力または出力端子のうちいずれか一つと前記他端部との間で前記保持部材に対し移動自在に配設される拡大運動部材を更に含むことを特徴とする，請求項９に記載の現像器の電圧供給装置。
【請求項１１】
　前記拡大運動部材は，下端部が前記保持部材に形成された収容ホールを通って前記リレー入力または出力端子のうちいずれか一つに固定されたＴ字状の非導電性板部材を含むことを特徴とする，請求項１０に記載の現像器の電圧供給装置。
【請求項１２】
　前記リレー入力及び出力端子は，それぞれ前記保持部材を介して前記接続回路基板に固定された導電性を有する板スプリング，及び前記板スプリングの端部に形成された接点を含むことを特徴とする，請求項１１に記載の現像器の電圧供給装置。
【請求項１３】
　前記端子接続部は，衝撃が吸入可能なスプリング端子を含むことを特徴とする，請求項１２に記載の現像器の電圧供給装置。
【請求項１４】
　前記現像器に対応する少なくとも一つの前記端子接続部は，前記現像器の互いに異なる多数の構成要素に電源を供給することを特徴とする，請求項７に記載の現像器の電圧供給装置。
【請求項１５】
　色別の現像器に電圧を供給する現像器の電圧供給装置であって：
　高電圧を発生する高圧供給源と接続回路基板と；
　前記接続回路基板に備えられた複数の入力端子及び出力端子と；
　前記色別の現像器の一端に備えられた複数の固定接点端子と；
　前記出力端子と前記固定接点端子とを接続する複数の端子接続部と；
　前記高圧供給源からの電圧を前記色別の現像器に選択的に供給するために前記出力端子に電圧を選択的に印加するソレノイド部から構成された複数の電圧切換ユニットと；
　を含むことを特徴とする，現像器の電圧供給装置。
【請求項１６】
　前記電圧切換ユニットは，
　ホルダと；
　前記ホルダに一方が接続され，他方が前記出力端子に接続されている接触部材と；
　前記ホルダを接続回路基板側に進退動させるホルダ可動部材と；
　を含むことを特徴とする，請求項１５に記載の現像器の電圧供給装置。
【請求項１７】
　前記接触部材は，ホルダに接続された上端部が環状をなし，下端部が前記接続回路基板に固定されたことを特徴とする，請求項１６に記載の現像器の電圧供給装置。
【請求項１８】
　前記端子接続部は，衝撃が吸収可能なスプリング端子であることを特徴とする，請求項１５に記載の現像器の電圧供給装置。
【請求項１９】
　感光媒体と；
　前記感光媒体と一定の現像ギャップをもって固定され，前記感光媒体に形成された静電潜像を色別のトナーで現像する色別の現像器と；
　高電圧を発生する高圧供給源と接続回路基板と；
　前記接続回路基板に備えられた複数の入力端子及び出力端子と；
　前記色別の現像器の一端に備えられた複数の固定接点端子と；
　前記出力端子と前記固定接点端子とを接続する複数の端子接続部と；
　前記高圧供給源からの電圧を前記色別の現像器に選択的に供給するために，前記出力端子に電圧を選択的に印加する電圧連結ユニットと；
　を含むことを特徴とする，画像形成装置。
【発明の詳細な説明】
【技術分野】
【０００１】
　本発明は，電子写真方式を用いる現像器を有するカラー複写機，カラープリンタ等の電子写真方式のカラー画像形成装置に関する。
【背景技術】
【０００２】
　一般に，カラー複写機，カラープリンタ等のような電子写真方式のカラー画像形成装置１０は，図１に示すように感光体駆動源（図示せず）により一方向に連続して回転するドラム状の感光体１１を備える。
【０００３】
　感光体１１の外周の付近には，帯電器１２，レーザースキャニングユニット２０（ｌａｓｅｒ　ｓｃａｎｎｉｎｇ ｕｎｉｔ；以下，ＬＳＵと称す），イエロー，マゼンタ，シアン及びブラックの現像剤を各々収容する４つのスライド式現像器３１，３２，３３，３４，転写搬送部６０，除電ランプ８７，及びクリーニング除電部８１がそれぞれ回転方向に沿って所定の位置に配設されている。
【０００４】
　帯電器１２は，スコロトロン帯電器であって，感光体１１を均一に帯電する役割を果たし，ＬＳＵ２０は，レーザー光源等により感光体１１を軸方向に向けてライン形状に露光する。
【０００５】
　それぞれの現像器３１，３２，３３，３４は，現像ローラー１３，現像剤収容部１６，現像剤供給ローラー１５，及び現像ローラー１３上に付着した現像剤層厚を規制する現像剤層厚規制部材またはブレード５１からなり，現像器駆動源（図示せず）によりそれぞれ回転駆動される。現像剤は，所定の高電圧が印加される現像剤収容部１６の現像剤供給ローラー１５を介して現像ローラー１３に供給され，現像ローラー１３上において所定の電荷注入用電圧を印加する現像剤層厚規制ブレード５１により薄層に規制される。
【０００６】
　それぞれの現像器３１，３２，３３，３４は，スライド式現像器であって，現像器案内部材（図示せず）内を往復動自在に保持され，それぞれ回転軸５６に固着されたカム３５，３６，３７，３８により感光体１１に向かって解除スプリング７４に対抗して移動する。回転軸５６の回転は，電子クラッチ（図示せず）により規制される。
【０００７】
　また，現像ローラー１３には，現像時に現像バイアス電圧が印加される。この現像バイアス電圧は，負−正反転現像する場合には感光体１１の帯電極性と同一である。
【０００８】
　転写搬送部６０は，感光体１１に形成されたカラー画像を静電的に記録紙Ｐに転写し，クリーニング除電部８０は，感光体１１に残留する現像剤を除去する。
【０００９】
　このように構成された画像形成装置１０の動作をみてみると，先ず，印刷命令を受けると，感光体１１は，感光体駆動源（図示せず）により連続して回転し，この結果，感光体１１の表面が帯電器１２により均一に帯電される。帯電された領域が最初に形成すべき色，例えば，イエロー現像器３１の現像位置ｄに到達した時，イエロー現像器３１の電子クラッチが通電し，これにより，イエロー現像器３１は，偏心カム３５により感光体１１に向かって移動して現像状態にセットされる。
【００１０】
　その後，感光体１１の表面はＬＳＵ２０により露光されてイエロー静電潜像が形成され，現像位置ｄにおいてイエロー現像器３１により画像の先端部から後端部に至る連続したイエロー画像が現像される。
【００１１】
　イエロー画像の形成が完了し，画像の後端部が現像位置ｄを通過した後，偏心カム３５が回転し，この結果，イエロー現像器３１が感光体１１から離れていく。
【００１２】
　次いで，画像の先端部が２番目に形成すべき画像の色，例えば，マゼンタ現像器３２の形成位置ｅに到達した時，マゼンタ現像器３２の電子クラッチが通電し，これにより，マゼンタ現像器３２が偏心カム３６により現像状態にセットされる。
【００１３】
　この時，感光体１１上に形成されたイエロー画像は，非動作状態の転写搬送部６０，除電ランプ８７，及びクリーナー除電部８０を通過して再び帯電器１２の下方に位置する。特に，転写搬送部６０とクリーナー除電部８０は，通過する画像を薄くしないようにすべく，動作時以外には感光体１１と非接触状態に設定されている。
【００１４】
　帯電器１２の下方の位置でイエロー画像を形成した感光体１１は，再度帯電器１２により均一に帯電され，ＬＳＵ２０によりマゼンタカラーに対応する画像がイエロー画像に重なり合って露光された後，マゼンタの現像位置ｅでマゼンタ現像器３２により現像される。マゼンタの画像形成が完了し，画像の後端部がマゼンタの現像位置ｅを通過した後，偏心カム３６が回転し，この結果，マゼンタ現像器３２が感光体１１から離れていく。
【００１５】
　その後，画像の後端部が３番目に形成すべき画像の色，例えば，シアン現像器３３の現像位置ｆに到達した時，シアン現像器３３の電子クラッチを通電して偏心カム３７によりシアン現像器３３を現像状態にセットする。
【００１６】
　この時，転写搬送部６０，除電ランプ８７とクリーナー除電部８０を通過したイエローとマゼンタとの合成画像は，再び帯電器１２の下方に位置し，感光体１１は，帯電器１２により均一に帯電される。そして，イエローとマゼンタとの合成画像は，ＬＳＵ２０によりシアンに対する画像と重なり合って露光された後，シアンの現像位置ｆでシアン現像器３３により現像される。シアンの画像形成が完了し，画像の後端部がシアンの現像位置ｆを通過した後，偏心カム３７が回転し，この結果，シアン現像器３３が感光体１１から離れていく。
【００１７】
　次いで，ブラックの画像が同様の方法で重なり合って形成され，すべての画像の形成が終了する。感光体１１上に形成されたカラー画像は，転写搬送部６０により記録紙給紙部から同期して搬送される記録紙Ｐに転写される。
【００１８】
　転写の後，感光体１１は，除電ランプ８７により除電され，クリーナー除電部８０の回転ブラシ８１により感光体１１の表面に残留している現像剤が除去されて初期の状態に戻る。この時，画像が転写された記録紙Ｐは，記録紙定着部に搬送され定着された後，装置の外へと排紙される。
【００１９】
　このように，従来の画像形成装置１０では，４色の現像器３１，３２，３３，３４が偏心カム３５，３６，３７，３８により感光体１１と一定の圧力をもって接離するスライド式構造を有することにより，感光体１１は，１回転のサイクルの間，即ち，１頁の現像時に４色の現像器３１，３２，３３，３４の現像ローラー１３とそれぞれ１回ずつ総４回接触するようになる。この時，図２に示すように，それぞれの現像器３１，３２，３３，３４の現像ローラー１３，現像剤供給ローラー１５，及び現像剤層厚規制ブレード５１に接続された電圧供給用スライド接点端子１３ａ，１５ａ，５１ａは，高圧供給源９０（ｈｉｇｈ　ｖｏｌｔａｇｅ ｐｏｗｅｒ ｓｕｐｐｌｙ；ＨＶＰＳ）の該当する電圧部，即ち，現像ローラー電圧部９０ａ，現像剤供給ローラー電圧部９０ｂ（Ｄｅｖｅ），及び現像剤層厚規制ブレード電圧部９０ｃとワイヤハーネス（ｗｉｒｉｎｇ　ｈａｒｎｅｓｓ）を介して接続された固定接点端子９０ａ´，９０ｂ´，９０ｃ´と順次に接離する。
【発明の開示】
【発明が解決しようとする課題】
【００２０】
　しかしながら，従来の画像形成装置１０は，現像時に４色の現像器３１，３２，３３，３４を入れ換えるために偏心カム３５，３６，３７，３８，カム駆動モーター（図示せず。），及び電子クラッチを使用することにより，その構成が複雑になるという短所があった。
【００２１】
　また，現像時に４色の現像器３１，３２，３３，３４が入れ換えられる度に感光体１１がそれぞれの現像器の現像ローラー１３に接触することで発生する接触衝撃は，現像を行なっている感光体１１に直に伝わり，この結果，感光体１１の寿命が減少し，更に感光体１１に速度変化を誘発することで画像品質を劣化させるジッタを発生するという問題点があった。
【００２２】
　更に，画像形成装置１０の現像器３１，３２，３３，３４に電圧が高い電圧（高圧または高電圧）を供給するための電圧供給装置は，高圧供給源９０の電圧部９０ａ，９０ｂ，９０ｃと固定接点端子９０ａ´，９０ｂ´，９０ｃ´とが複雑なワイヤハーネスを介して接続された構造を有することにより，製作が難しいのみならず，スライド接点端子１３ａ，１５ａ，５１ａが固定接点端子９０ａ´，９０ｂ´，９０ｃ´とスライド接触するため，高圧接点の切換の信頼性が劣るという問題点があった。
【００２３】
　本発明は，上記問題点に鑑みてなされたものであり，本発明の目的は，現像器の入れ換え時における接触衝撃による画像品質の劣化及び感光体の寿命の低下を抑え，高圧接点の切換の信頼性を高めるために現像器を移動することなく固定した状態で，比較的に簡単な構造の電圧切換ユニットを使用して接点の切換を行なうことができるようにした，新規かつ改良された現像器の電圧供給装置を提供することである。
【課題を解決するための手段】
【００２４】
　上記課題を解決するため，本発明の第１の観点によれば，前記のような本発明の目的を達成するために，本発明は，画像形成装置の現像器を固定し，電圧が高い高電圧を発生する高圧供給源と前記現像器の入力端子を，切替え等することで選択的に接続することにより，前記現像器の各構成要素に電圧を選択的に印加することを特徴とする。
【００２５】
　従って，本発明の電圧供給装置は，色別の現像器に電圧を供給する現像器の電圧供給装置であって，高電圧を発生する高圧供給源に接続された接続回路基板（ＰＣＢ）と；前記色別の現像器の一端に備えられた複数の固定接点端子；及び前記高圧供給源からの電圧を前記色別の現像器に選択的に供給するために前記接続回路基板と前記固定接点端子を選択的に接続する複数の電圧切換ユニットと；を含むことを特徴とする。
【００２６】
　出力端子（ＰＣＢ出力端子）と前記固定接点端子との間には弾性力のあるスプリング端子から構成された端子接続部を更に含み，前記端子接続部は，前記現像器の互いに異なる多数の構成要素に電源を供給することが好ましい。この結果，ＰＣＢ出力端子と固定接点端子との接触性に優れ，現像器の各構成要素，例えば，現像ローラー，トナー供給ローラー等への電圧印加の信頼性が向上する。
【００２７】
　前記高圧供給源は，現像ローラー電圧部，現像剤供給ローラー電圧部及び現像剤層厚規制ブレード電圧部を含む単一の電圧供給源から構成されることが好ましい。
【００２８】
　また，上記接続回路基板の一方に備えられる入力端子（ＰＣＢ入力端子）及びＰＣＢ出力端子を更に含み，前記電圧切換ユニットは，前記ＰＣＢ出力端子と前記ＰＣＢ入力端子を選択的に接触させることにより，前記色別の現像器に高電圧を印加することが好ましい。この結果，電圧印加の信頼性が確保され，現像品質が高められる。
【００２９】
　また，本発明の高圧供給装置は，色別の現像器に電圧を供給する現像器の電圧供給装置であって，高電圧を発生する高圧供給源に接続された接続回路基板（ＰＣＢ）と；前記接続回路基板に備えられた複数のＰＣＢ入力端子及びＰＣＢ出力端子と；前記色別の現像器の一端に備えられた複数の固定接点端子と；前記ＰＣＢ出力端子と前記固定接点端子とを接続する複数の端子接続部；及び前記高圧供給源からの電圧を前記色別の現像器に選択的に供給するために前記ＰＣＢ出力端子に電圧を選択的に印加するリレー部から構成された複数の電圧切換ユニットと；を含んでなることができる。
【００３０】
　好適な実施例において，リレー部は，接続回路基板に設けられた保持部材と，保持部材に固定され，電流により磁気化する電磁石と，電磁石が動作する時に電磁石の磁力により電磁石と接離するように，保持部材に対し回動自在に配設されたアーマチュア；及びアーマチュアが電磁石と接離する時にアーマチュアにより互いに接離して電圧の供給をスイッチングするように，互いに所定の間隔を隔てて向い合って接続回路基板の電圧供給経路上に配設された少なくとも一対のリレー入力及び出力端子と，からなる。
【００３１】
　アーマチュアは，電磁石が動作する時に電磁石の磁力により電磁石と接離するように形成された一端部，及び一端部が電磁石と接触する時にリレー入力及び出力端子を互いに接触させるように形成された他端部を備えるＬ字状の金属板部材から構成されることが好ましい。
【００３２】
　選択的に，アーマチュアは，一端部が電磁石と接触する時に他端部がリレー入力及び出力端子を互いに容易に接触させるようにリレー入力及び出力端子のいずれか一つと他端部との間で保持部材に対し移動自在に配設された拡大運動部材を更に含む。拡大運動部材は，下端部が保持部材に形成された収容ホールを通ってリレー入力及び出力端子のいずれか一つに固定されたＴ字状の非導電性板部材から構成されることが好ましい。
【００３３】
　リレー入力及び出力端子は，それぞれ保持部材を介して接続回路基板に固定された導電性を有する板スプリング，及び板スプリングの端部に形成された接点から構成される。
接続回路基板の出力端子と現像器の入力端子とを接続する端子接続部は，現像器からの衝撃が吸入可能なスプリング端子から構成され，前記端子接続部は，前記現像器の互いに異なる多数の構成要素に電源を供給することが好ましい。
【００３４】
　また，本発明は，色別の現像器に電圧を供給する現像器の電圧供給装置であって，高電圧を発生する高圧供給源と接続回路基板（ＰＣＢ）と；前記接続回路基板に備えられた複数のＰＣＢ入力端子及びＰＣＢ出力端子と；前記色別の現像器の一端に備えられた複数の固定接点端子と；前記ＰＣＢ出力端子と前記固定接点端子とを接続する複数の端子接続部；及び前記高圧供給源からの電圧を前記色別の現像器に選択的に供給するために前記ＰＣＢ出力端子に電圧を選択的に印加するソレノイド部から構成された複数の電圧切換ユニットと；を含むように構成することができる。
【００３５】
　前記電圧切換ユニットは，ホルダと，前記ホルダに一方が接続され，他方が前記ＰＣＢ出力端子に接続されている接触部材と，前記ホルダを接続回路基板側に進退動させるホルダ可動部材と，を含み，前記接触部材は，ホルダに接続された上端部が環状をなし，下端部が前記接続回路基板に固定されたことが好ましい。
【００３６】
　また，前記端子接続部は，衝撃が吸収可能なスプリング端子であることが好ましい。
【００３７】
　更に，本発明の画像形成装置は，感光媒体と；前記感光媒体と一定の現像ギャップをもって固定され，前記感光媒体に形成された静電潜像を色別のトナーで現像する色別の現像器と；高電圧を発生する高圧供給源と接続回路基板（ＰＣＢ）と；前記接続回路基板に備えられた複数のＰＣＢ入力端子及びＰＣＢ出力端子と；前記色別の現像器の一端に備えられた複数の固定接点端子と；前記ＰＣＢ出力端子と前記固定接点端子とを接続する複数の端子接続部；及び前記高圧供給源からの電圧を前記色別の現像器に選択的に供給するために，前記ＰＣＢ出力端子に電圧を選択的に印加する電圧連結ユニットと；を含むことを特徴とする。
【００３８】
　上記課題を解決するために，本発明の別の観点によれば，色別の現像器に電圧を供給する現像器の電圧供給装置が提供される。上記電圧供給装置は，高電圧を発生する高圧供給源に接続された接続回路基板（ＰＣＢ）と；前記色別の現像器の一端に備えられた複数の固定接点端子と；高圧供給源からの電圧を前記色別の現像器に選択的に供給するために前記接続回路基板と前記固定接点端子を選択的に接続する複数の電圧切換ユニットとを含むことを特徴としている。
【００３９】
　接続回路基板の一方に備えられる入力端子（ＰＣＢ入力端子）及び出力端子（ＰＣＢ出力端子）を更に含むように構成してもよい。
【００４０】
　ＰＣＢ出力端子と固定接点端子との間には端子接続部を更に含み，端子接続部は，現像器の互いに異なる多数の構成要素に電源を供給するように構成してもよく，端子接続部は，弾性力のあるスプリング端子から構成されてもよい。
【００４１】
　電圧切換ユニットは，ＰＣＢ出力端子とＰＣＢ入力端子を選択的に接触させることにより色別の現像器に高電圧を印加するように構成してもよい。
【００４２】
　高圧供給源は，現像ローラー電圧部，現像剤供給ローラー電圧部及び現像剤層厚規制ブレード電圧部を含む単一の電圧供給源から構成されるようにしてもよい。
【００４３】
　上記課題を解決するために，本発明の別の観点によれば，色別の現像器に電圧を供給する現像器の電圧供給装置が提供される。上記現像器の電圧供給装置は，高電圧を発生する高圧供給源に接続された接続回路基板（ＰＣＢ）と；接続回路基板に備えられた複数のＰＣＢ入力端子及びＰＣＢ出力端子と；色別の現像器の一端に備えられた複数の固定接点端子と；ＰＣＢ出力端子と前記固定接点端子とを接続する複数の端子接続部と；高圧供給源からの電圧を前記色別の現像器に選択的に供給するために前記ＰＣＢ出力端子に電圧を選択的に印加するリレー部から構成された複数の電圧切換ユニットとを含むことを特徴としている。
【００４４】
　上記リレー部は，接続回路基板に設けられた保持部材と；保持部材に固定され，電流により磁気化する電磁石と；電磁石が動作する時に電磁石の磁力により電磁石と接離するように，保持部材に対し回動自在に配設されたアーマチュアと；アーマチュアが電磁石と接離する時にアーマチュアにより互いに接離して電圧の供給をスイッチングするように，互いに所定の間隔を隔てて向い合って接続回路基板の電圧供給経路上に配設された少なくとも一対のリレー入力及び出力端子とを含むように構成してもよい。
【００４５】
　上記アーマチュアは，電磁石が動作する時に電磁石の磁力により電磁石と接離するように設けられた一端部，及び一端部が電磁石と接触する時にリレー入力及び出力端子を互いに接触させるように設けられた他端部を備えるＬ字状の金属板部材を含むように構成してもよい。
【００４６】
　上記アーマチュアは，一端部が電磁石と接触する時に他端部がリレー入力及び出力端子を互いに接触させるようにリレー入力及び出力端子のいずれか一つと他端部との間で保持部材に対し移動自在に配設された拡大運動部材を更に含むように構成してもよい。
【００４７】
　拡大運動部材は，下端部が保持部材に形成された収容ホールを通ってリレー入力及び出力端子のいずれか一つに固定されたＴ字状の非導電性板部材を含むように構成してもよい。
【００４８】
　リレー入力及び出力端子は，それぞれ保持部材を介して接続回路基板に固定された導電性を有する板スプリング，及び板スプリングの端部に形成された接点を含むように構成してもよく，端子接続部は，衝撃が吸入可能なスプリング端子を含むように構成してもよい。
【００４９】
　現像器に対応する少なくとも一つの端子接続部は，現像器の互いに異なる多数の構成要素に電源を供給するように構成してもよい。
【００５０】
　上記課題を解決するために，本発明の別の観点によれば，色別の現像器に電圧を供給する現像器の電圧供給装置が提供される。上記現像器の電源供給装置は，高電圧を発生する高圧供給源と接続回路基板（ＰＣＢ）と；接続回路基板に備えられた複数のＰＣＢ入力端子及びＰＣＢ出力端子と；色別の現像器の一端に備えられた複数の固定接点端子と；ＰＣＢ出力端子と前記固定接点端子とを接続する複数の端子接続部と；高圧供給源からの電圧を色別の現像器に選択的に供給するためにＰＣＢ出力端子に電圧を選択的に印加するソレノイド部から構成された複数の電圧切換ユニットとを含むことを特徴としている。
【００５１】
　上記電圧切換ユニットは，ホルダと；上記ホルダに一方が接続され，他方がＰＣＢ出力端子に接続されている接触部材と；ホルダを接続回路基板側に進退動させるホルダ可動部材とを含むように構成してもよい。
【００５２】
　上記接触部材は，ホルダに接続された上端部が環状をなし，下端部が接続回路基板に固定されるように構成してもよく，上記端子接続部は，衝撃が吸収可能なスプリング端子であるように構成してもよい。
【００５３】
　上記課題を解決するために，本発明の別の観点によれば，感光媒体と；上記感光媒体と一定の現像ギャップをもって固定され，感光媒体に形成された静電潜像を色別のトナーで現像する色別の現像器と；高電圧を発生する高圧供給源と接続回路基板（ＰＣＢ）と；接続回路基板に備えられた複数のＰＣＢ入力端子及びＰＣＢ出力端子と；色別の現像器の一端に備えられた複数の固定接点端子と；ＰＣＢ出力端子と前記固定接点端子とを接続する複数の端子接続部と；高圧供給源からの電圧を前記色別の現像器に選択的に供給するために，ＰＣＢ出力端子に電圧を選択的に印加する電圧連結ユニットとを含むことを特徴としている。
【発明の効果】
【００５４】
　以上説明したように，本発明によれば，現像器の電圧供給装置は，現像器を移動することなく固定した状態でリレー部を使用して接点の切換を行なうことができるため，現像器の入れ換え時における接触衝撃等による画像品質の劣化を抑え，高圧接点の切換の信頼性が高められるのみならず，高圧供給源から現像器までの電圧の供給に要する高圧ワイヤハーネスの数が低減できるという効果を奏する。
【００５５】
　また，現像時において感光媒体の回転速度の変化及び負荷変動が発生せず，安定した画像品質が確保できる。
【００５６】
　更に，本発明によると，現像器を移動させるための従来のようなモーターやカム等の構成要素を省くことができ，単純な構造の電圧供給ユニットを構成することができ，現像器と感光媒体間の現像ギャップの変化が殆どなく，現像不良等を抑えることができる。
【００５７】
　しかも，ソレノイド部またはリレー部を用いて直接接触することにより，高電圧回路基板からそれぞれの現像器までの高電圧の伝達区間を最小化することができ，接点ポイントを最小化し，直接接点により高電圧接点に対する信頼性が確保されることでそれぞれの現像器に高電圧を安定して印加することができ，且つ，結局として向上した画像品質を具現することができる。
【発明を実施するための最良の形態】
【００５８】
　以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００５９】
　本実施の形態にかかる現像器の電圧供給装置は，各種の形態で構成することができるが，以下では，好適な二つの実施形態だけを説明することにする。第１の実施形態では，電圧切換ユニットをリレー部から構成し，第２の実施形態は，ソレノイド部から構成している。
【００６０】
　先ず，第１の実施例について説明する。図３及び図４を参照すると，本発明に係る現像器の電圧供給装置１００が概略的に例示されている。
【００６１】
　本実施例の電圧供給装置１００が適用される画像形成装置は，表面の電位特性を用いて静電潜像を形成する円筒ドラム状の感光体（図示せず），及びそれぞれ１つの現像ローラー（図示せず。）が感光体に対し一定のギャップ，例えば，０．２ｍｍのギャップを隔てて固定された４色，即ち，イエロー，マゼンタ，シアン及びブラックの固定式現像器１３１，１３２，１３３，１３４を備える。
【００６２】
　それぞれの現像器１３１，１３２，１３３，１３４に高電圧を供給するために，本発明の電圧供給装置１００は，高電圧を発生する高圧供給源１９０，接続回路基板１９５（Ｐｒｉｎｔｅｄ　Ｃｉｒｃｕｉｔ Ｂｏａｒｄ；ＰＣＢ），現像器の一方に備えられた固定接点端子，現像器１３１，１３２，１３３，１３４と高圧供給源１９０との間に配設され高圧供給源１９０から印加された電圧をそれぞれの現像器１３１，１３２，１３３，１３４に順次に供給するようにする電圧切換ユニット（本実施例では，電圧切換ユニットをリレー部１９１から構成している）を含む。
【００６３】
　高圧供給源１９０は，現像ローラー（図示せず）に要する電圧を供給する現像ローラー電圧部１９０ｄ，現像剤供給ローラー（図示せず）に要する電圧を供給する現像剤供給ローラー電圧部１９０ｅ，及び現像剤層厚規制ブレード（図示せず）に要する電圧を供給する現像剤層厚規制ブレード電圧部１９０ｆを備える。
【００６４】
　接続ＰＣＢ１９５は，高圧供給源１９０の現像ローラー電圧部１９０ｄ，現像剤供給ローラー電圧部１９０ｅ，及び現像剤層厚規制ブレード電圧部１９０ｆとワイヤハーネスを介して接続された第１，第２及び第３のＰＣＢ入力端子１９５ｄ，１９５ｅ，１９５ｆ，及び端子接続部１９８を介して現像ローラー，現像剤供給ローラー，現像剤層厚規制ブレードに接続された現像器１３１，１３２，１３３，１３４の固定接点端子１１３ａ，１１５ａ，１５１ａに接続されそれぞれ第１，第２及び第３の接点１９５ｄ´，１９５ｅ´，１９５ｆ´から構成された４つのＰＣＢ出力端子１９５ａを備える。
【００６５】
　接続ＰＣＢ１９５と現像器１３１，１３２，１３３，１３４とを接続する端子接続部１９８のそれぞれは，現像器１３１，１３２，１３３，１３４からの振動等のような衝撃が吸収可能になるように第１，第２及び第３のスプリング端子１９８ｄ，１９８ｅ，１９８ｆから構成される。
【００６６】
　電圧切換ユニットは，前述したように，第１の実施の形態でリレー部１９１から構成されており，図５，図６及び図７に示すように，リレー部１９１のそれぞれは，接続ＰＣＢ１９５に固定された保持部材２０１，保持部材２０１に固定され電流により磁気化する電磁石２０２，電磁石２０２が動作する時に電磁石２０２の磁力により電磁石２０２と接離するように，保持部材２０１のアーマチュア保持部２０８のヒンジ軸２０８ａを中心にして回動自在に保持されたアーマチュア２０４，アーマチュア２０４が電磁石２０２と接離する時にアーマチュア２０４により互いに接離して電圧の供給をスイッチングするように，互いに所定の間隔を隔てて向い合って接続ＰＣＢ１９５上にパターンされた第１，第2及び第３のＰＣＢ入力端子１９５ｄ，１９５ｅ，１９５ｆとＰＣＢ出力端子１９５ａの接点１９５ｄ´，１９５ｅ´，１９５ｆ´との間の接続線上に配設された３対の長いリレー入力及び出力端子１９１ｄ，１９１ｄ´；１９１ｅ，１９１ｅ´；１９１ｆ，１９１ｆ´，及びこれらの構成要素を封じ止めるカバー体２２０（図５）から構成される。
【００６７】
　アーマチュア２０４は，電磁石２０２が動作する時に電磁石２０２の磁力により電磁石２０２と接離するように形成された一端部２０４ａ，及び一端部２０４ａが電磁石２０２と接触する時にリレー入力及び出力端子１９１ｄ，１９１ｄ´；１９１ｅ，１９１ｅ´；１９１ｆ，１９１ｆ´を互いに接触させるように形成された他端部２０４ｂを備えるＬ字状の金属板部材から構成されることが好ましい。なお，上記アーマチュア２０４は，板状のＬ字形状となっている。
【００６８】
　アーマチュア２０４は，一端部２０４ａが電磁石２０２と接触する時に他端部２０４ｂがリレー入力及び出力端子１９１ｄ，１９１ｄ´；１９１ｅ，１９１ｅ´；１９１ｆ，１９１ｆ´を互いに容易に接触させるようにリレー入力及び出力端子１９１ｄ，１９１ｄ´；１９１ｅ，１９１ｅ´；１９１ｆ，１９１ｆ´のうちの上方に位置するリレー入力端子１９１ｄ，１９１ｅ，１９１ｆと他端部２０４ｂとの間で保持部材２０１の拡大運動部材保持部２０９に形成された収容ホール２０９ａを通って移動自在に保持された拡大運動部材２１０を更に含む。
【００６９】
　拡大運動部材２１０は，下端部２１０ａが拡大運動部材保持部２０９の収容ホール２０９ａを通って後述するリレー入力端子１９１ｄ，１９１ｅ，１９１ｆの板スプリング２１１に固定された長いＴ字状の板部材から構成されることが好ましい。この時，板部材は，リレー入力端子１９１ｄ，１９１ｅ，１９１ｆの板スプリング２１１とアーマチュア２０４とを絶縁すべく非導電性材料からなる。
【００７０】
　リレー入力及び出力端子１９１ｄ，１９１ｄ´；１９１ｅ，１９１ｅ´；１９１ｆ，１９１ｆ´のそれぞれは，導電性を有する長い板スプリング２１１または２１１´，及び板スプリングの端部に設けられた接点２１２または２１２´から構成される。
【００７１】
　リレー入力端子１９１ｄ，１９１ｅ，１９１ｆは，接続ＰＣＢ１９５上にパターンされた接続線を介して，高圧供給源１９０の電圧部１９０ｄ，１９０ｅ，１９０ｆとワイヤハーネスを介して接続されたＰＣＢ入力端子１９５ｄ，１９５ｅ，１９５ｆに接続されているのに対し，リレー出力端子１９１ｄ´，１９１ｅ´，１９１ｆ´は，ＰＣＢ１９５上にパターンされた接続線を介して，第１，第２及び第３のスプリング端子１９８ｄ，１９８ｅ，１９８ｆにより各現像器の固定接点端子１１３ａ，１１５ａ，１５１ａに接続されたＰＣＢ出力端子１９５ａの第１，第２及び第３の接点１９５ｄ´，１９５ｅ´，１９５ｆ´に接続されている。
【００７２】
　ここで，一つ注目すべき点は，本実施例では，それぞれの現像器１３１，１３２，１３３，１３４の現像ローラー，現像剤供給ローラー，及び現像剤層厚規制ブレードにそれぞれ異なる電圧を供給するために，高圧供給源１９０から３つの電圧に分圧して３つの電圧部１９０ｄ，１９０ｅ，１９０ｆ，３つのＰＣＢ入力端子１９５ｄ，１９５ｅ，１９５ｆ，３対のリレー入力及び出力端子１９１ｄ，１９１ｄ´；１９１ｅ，１９１ｅ´；１９１ｆ，１９１ｆ´，及び３つの接点１９５ｄ´，１９５ｅ´，１９５ｆ´を有するＰＣＢ出力端子１９５ａを介してそれぞれの現像器１３１，１３２，１３３，１３４に供給することと説明及び例示したが，設計により，高圧供給源１９０からそれぞれの現像器１３１，１３２，１３３，１３４までは１つの電圧部，１つのＰＣＢ入力端子，一対のリレー入力及び出力端子，１つの接点を有するＰＣＢ出力端子を介して１つの基準電圧を供給し，現像器１３１，１３２，１３３，１３４で基準電圧を別の分圧装置により現像ローラー，現像剤供給ローラー，現像剤層厚規制ブレードに要する３種の電圧に分圧して供給するように構成することもできる。
【００７３】
　以上で説明したように，第１の実施形態に係る電圧供給装置１００は，現像器１３１，１３２，１３３，１３４が感光体に対し接離する代わりに感光体に対し一定のギャップを隔てて固定された状態で動作するため，現像器１３１，１３２，１３３，１３４が感光体に対し接触する時に発生する接触衝撃等による画像品質の劣化及び感光体の寿命低下の問題が改善され，また，電圧供給装置１００が，接続ＰＣＢ１９５と比較的に簡単な構造のリレー部１９１からなる電圧切換ユニットを使用することにより，複雑なワイヤハーネスを使用する高圧区間を最小化し，高圧接点の切換の信頼性を向上することができる。
【００７４】
　以上のように構成された第１の実施の形態に係る現像器の電圧供給装置１００の動作を，図３〜図６ｂを参照して詳細に説明すると，次の通りである。
【００７５】
　先ず，印刷命令を受けると，感光体に静電潜像が形成され，最初に形成すべき色，例えば，イエロー静電潜像を形成した感光体の部分が感光体を回転させる感光体駆動源（図示せず）により該当する現像器，例えば，イエロー現像器１３１の現像位置に移動する時，イエロー現像器１３１の現像剤供給ローラーと現像ローラーは，感光体に現像剤を供給するために相互逆方向に回転し始める。
【００７６】
　この時，本発明の電圧供給装置１００は，イエロー現像器１３１の現像ローラー，現像剤供給ローラー，及び現像剤層厚規制ブレードにそれぞれ予め決められた電圧を印加するために，イエロー現像器１３１の固定接点端子１１３ａ，１１５ａ，１５１ａとＰＣＢ出力端子１９５ａの第１，第２及び第３の接点１９５ｄ´，１９５ｅ´，１９５ｆ´を介して接続された，リレー入力端子１９１ｄ，１９１ｅ，１９１ｆとリレー出力端子１９１ｄ´，１９１ｅ´，１９１ｆ´をスイッチングするリレー部，例えば，イエローリレー部１９１の電磁石２０２を“オン”させる。
【００７７】
　イエローリレー部１９１の電磁石２０２が“オン”することにより，図６ｂに示すように，アーマチュア２０４は，一端部２０４ａが電磁石２０２から発生した磁力により電磁石２０２の方に引っ張られて他端部２０４ｂが拡大運動部材２０１を押し下げるように，ヒンジ軸２０８ａを中心にして時計回りに回転するようになる。
【００７８】
　その結果，リレー入力端子１９１ｄ，１９１ｅ，１９１ｆの板スプリング２１１を固定した拡大運動部材２１０の下端部２１０ａは，アーマチュア２０４の他端部２０４ｂにより保持部材２０１の拡大運動部材保持部２０９に形成された収容ホール２０９ａを通って下方に移動し，リレー入力端子１９１ｄ，１９１ｅ，１９１ｆの板スプリング２１１を押し付け，この結果，リレー入力端子１９１ｄ，１９１ｅ，１９１ｆの接点２１２は，リレー出力端子１９１ｄ´，１９１ｅ´，１９１ｆ´の接点２１２´と接触するようになる。
このように，リレー入力端子１９１ｄ，１９１ｅ，１９１ｆの接点２１２がリレー出力端子１９１ｄ´，１９１ｅ´，１９１ｆ´の接点２１２´と接触すると，高圧供給源１９０の現像ローラー電圧部１９０ｄ，現像剤供給ローラー電圧部１９０ｅ，及び現像剤層厚規制ブレード電圧部１９０ｆからＰＣＢ入力端子１９５ｄ，１９５ｅ，１９５ｆを介してイエローリレー部１９１のリレー入力端子１９１ｄ，１９１ｅ，１９１ｆに供給される電圧は，相応するリレー出力端子１９１ｄ´，１９１ｅ´，１９１ｆ´とＰＣＢ９５上にパターンされた接続線を介して接続されたＰＣＢ出力端子１９５ａの第１，第２及び第３の接点１９５ｄ´，１９５ｅ´，１９５ｆ´，及び第１，第２及び第３のスプリング端子１９８ｄ，１９８ｅ，１９８ｆを介してイエロー現像器１３１の固定接点端子１１３ａ，１１５ａ，１５１ａに供給される。
【００７９】
　その結果，現像剤供給ローラーにより現像ローラーに供給される現像剤は，現像剤供給ローラーと現像ローラーとの電位差，即ち，相対的に低電位を有する現像ローラーの表面に移行して吸着され，現像ローラーに付着された現像剤は，摩擦帯電により現像剤に一定の電荷量を注入する現像剤層厚規制ブレードにより現像剤層の厚さが規制される。
【００８０】
　その後，現像剤は，感光体と現像ローラーとの０．２ｍｍギャップ内において感光体に形成された静電潜像と現像ローラーとの電位差により形成された電界により再び感光体に形成された静電潜像に移行して可視的な画像として現像される。
【００８１】
　このように，イエロー画像の形成が完了すると，本発明の電圧供給装置１００は，イエロー現像器１３１の現像ローラー，現像剤供給ローラー，及び現像剤層厚規制ブレードに供給されている電圧をカットするために，イエロー現像器１３１の固定接点端子１１３ａ，１１５ａ，１５１ａに接続されたイエローリレー部１９１の電磁石２０２を“オフ”させる。
【００８２】
　イエローリレー部１９１の電磁石２０２が“オフ”すると，図６ａに示すように，電磁石２０２は磁力を失い，その結果，リレー入力端子１９１ｄ，１９１ｅ，１９１ｆは，板スプリング２１１の復元力により接点２１２がリレー出力端子１９１ｄ´，１９１ｅ´，１９１ｆ´の接点２１２´から離れるようになる。
【００８３】
　この時，アーマチュア２０４は，他端部２０４ｂが板スプリング２１１の復元力により上方に上昇する拡大運動部材２１０により押し上げられて一端部２０４ａが電磁石２０２から離れるように，ヒンジ軸２０８ａを中心にして反時計回りに回転する。
【００８４】
　その結果，高圧供給源１９０の現像ローラー電圧部１９０ｄ，現像剤供給ローラー電圧部１９０ｅ，及び現像剤層厚規制ブレード電圧部１９０ｆからＰＣＢ入力端子１９５ｄ，１９５ｅ，１９５ｆを介してイエローリレー部１９１のリレー入力端子１９１ｄ，１９１ｅ，１９１ｆに供給されている電圧は，相応するリレー出力端子１９１ｄ´，１９１ｅ´，１９１ｆ´を介してＰＣＢ出力端子１９５ａの第１，第２及び第３の接点１９５ｄ´，１９５ｅ´，１９５ｆ´，第１，第２及び第３のスプリング端子１９８ｄ，１９８ｅ，１９８ｆ，及びイエロー現像器の固定接点端子１１３ａ，１１５ａ，１５１ａに供給されずにカットされる。
【００８５】
　次いで，画像の後端部が現像位置を通過した後，画像の先端部が２番目に形成すべき画像の色，例えば，マゼンタ現像器１３２の現像位置に到達した時，本発明の電圧供給装置１００は，前述した方法と同様に動作してマゼンタ現像器１３２に電圧を供給し，これにより，マゼンタ現像器１３２が画像を形成するようになる。
【００８６】
　この時，感光体に形成されたイエロー画像は，非動作状態の転写搬送部（図示せず），除電ランプ（図示せず），及びクリーナー除電部（図示せず）を通過して再度帯電器（図示せず）の下方に位置する。帯電器の下方の位置でイエロー画像を形成した感光体は，再度帯電器により均一に帯電され，ＬＳＵ（図示せず）によりマゼンタカラーに対応する画像がイエロー画像に重なり合って露光された後，マゼンタの現像位置でマゼンタ現像器１３２により現像される。
【００８７】
　このように，シアン，及びブラックの画像が同様の方法にて重なり合って形成され，すべての画像の形成が終了する。
【００８８】
　その後，感光体に形成されたカラー画像は，転写搬送部（図示せず）により記録紙給紙部から同期して搬送される記録紙に転写され，感光体は，除電ランプ（図示せず）により除電され，これと同時にクリーナー除電部（図示せず）の回転ブラシにより感光体の表面に残留している現像剤が除去されて初期の状態に戻る。この時，画像が記録された記録紙は，記録紙定着部（図示せず）に搬送されて定着されてから，装置の外部へと排紙される。
【００８９】
　引き続き，図７〜図９を参照して，第２の実施の形態にかかる現像器の電圧供給装置について説明する。説明の便宜のために前記第１の実施の形態で説明した部分は省く。
【００９０】
　図７は，第２の実施の形態にかかる電圧供給装置を示す説明図であって，略同一の構造から構成された複数の電圧切換ユニットのうち，説明の便宜のためにイエロー現像器の高電圧切換装置だけを示しており，図８は，図７に示す複数の電圧切換ユニットのうちのソレノイドだけを省略して示す説明図である。
【００９１】
　第２の実施の形態に係る電圧供給装置は，それぞれの現像器に高電圧を供給するために，電圧供給装置は，高電圧を発生する高圧供給源１９０（図３参照），接続回路基板３０１（Ｐｒｉｎｔｅｄ　Ｃｉｒｃｕｉｔ Ｂｏａｒｄ；ＰＣＢ），現像器の一方に備えられた固定接点端子３０７ａ（図面では，イエロー現像器に備えられた固定接点端子だけを示したが，残りの現像器も同一の構成である），現像器３０９ａ（図面では，イエロー現像器だけを示したが，複数の現像器から構成される）と高圧供給源１９０との間に配設され高圧供給源１９０から印加された電圧をそれぞれの現像器３０７ａに順次に供給するようにする電圧切換ユニット（本実施例では，電圧切換ユニットをソレノイド３２１ａから構成している）を含む。
【００９２】
　以下でイエロー現像器３０９ａに対する電圧供給装置を説明し，残りの色別の現像器も同一に構成されている。即ち，図７に示すイエロー現像器３０９ａの後端部には，固定接点端子３０７ａが形成されている。かかる固定接点端子３０７ａは，残りの色別にそれぞれの現像器の後端部にも同一に形成されている。
【００９３】
　図７に示すように，イエロー現像器３０７ａが感光媒体３１２と一定の現像ギャップをもって固定されており，接続回路基板３０１は，上記現像器３０９ａの後方に配設されている。この接続回路基板３０１の一側面の下端部には，ＰＣＢ出力端子３１７ａが設けられており，その反対側面の上端部には，ＰＣＢ入力端子３０３ａが固定されている。
【００９４】
　上記ＰＣＢ入力端子３０３ａは，接続回路基板３０１に組み込まれた高電圧回路（図示せず）に接続されており，ＰＣＢ出力端子３１７ａも色別の現像器の後端部に形成されている固定接点端子に対応して４つが前記接続回路基板３０１に設けられていることはいうまでもない。
【００９５】
　図８に示すように，接続回路基板３０１の一方の上端部に固定されたＰＣＢ入力端子３０３ａ，３０３ｂ，３０３ｃ，３０３ｄと一定の距離離れている下端部には，孔３０２ａ，３０２ｂ，３０２ｃ，３０２ｄが形成されており，画像形成装置のフレームのボス３１５ａ，３１５ｂ，３１５ｃ，３１５ｄが，上記孔３０２ａ，３０２ｂ，３０２ｃ，３０２ｄを挿通して突出するように設けられている。
【００９６】
　図７に示すイエロー現像器３０９ａの後端部に形成されている固定接点端子３０７ａと上記接続回路基板３０１の一方の下端部に設けられているＰＣＢ出力端子３１７ａとは，互いに直に接続することもできるが，図７に示すように，スプリング端子３０５ａから構成された端子接続部を介して接続することが好ましい。スプリング端子３０５ａは弾性に優れており，接続回路基板３０１から伝わり得る衝撃を吸収することで現像器３０９ａまでその衝撃が至らないようにする。
【００９７】
　第２の実施の形態では，電圧切換ユニットはソレノイド部３２１ａから構成されており，色別の現像器に高電圧が印加できるように４つで構成されている。ソレノイド部３２１ａは，図７から分かるように，ホルダ３１９ａ，ＰＣＢ出力端子３１７ａに接続された接触部材３１０ａ，ホルダ３１９ａを接続回路基板３０１側に前進したり，接続回路基板３０１側から後退したりと前後に移動させるソレノイド３２０ａを備える。前記接触部材３１０ａは板スプリングから構成されており，一方が上記ホルダ３０３ａに接続され，他方が上記接続回路基板３０１に固着されている。
【００９８】
　かかる接触部材３１１ａは，ソレノイド部３２１ａから構成された電圧切換ユニットによりＰＣＢ入力端子３０３ａとＰＣＢ出力端子３１７ａを接続し，その材料としては，高電圧が流れ得るものであれば，如何なるものでも可能であるが，特に，弾性に優れている板スプリングから構成することが好ましい。
【００９９】
　図７に示すように，接触部材３１０ａは，ホルダ３１９ａに接続されている上端部が二股に分かれている環状部３１１ａをなしており，ソレノイド３２０ａによりホルダ３１９ａが前後に移動することで，環状部３１１ａを接続回路基板３０１のＰＣＢ入力端子３０３ａに接触させる時におけるその接触性を向上することができる。
【０１００】
　また，図８に示すように，接触部材３１０ａの下端部は，画像形成装置のフレームのボス３１５ａを介して前記接続回路基板３０１に固着されている。かかる接触部材３１０ａは，それぞれの接触端子に対応するほどの数が設けられていることはいうまでもない。
【０１０１】
　ソレノイド３２０ａは，ホルダ３１９ａを動かせるためのホルダ可動部材の一実施例であって，かかるホルダ可動部材は，ソレノイド３２０ａのみならず他の各種の実施例が可能である。図７に示す符号３２５ａは，ソレノイド３２０ａを保持するためのブラケットである。
【０１０２】
　以下，上記のように構成された第２の実施の形態に係る現像器の電圧供給装置の作用について，図７及び図９を参照して説明する。説明の便宜のために一つの現像器の電圧供給装置だけを例に挙げて説明するが，残りの現像器に電圧を供給する電圧供給装置における作用も，ほぼ同一である。
【０１０３】
　図７は，ソレノイド３２０ａに電源が印加されていない状態，即ち，該当する現像器３０９ａに高電圧が印加されていない状態である電圧供給装置の概略的な構成を示す説明図である。
【０１０４】
　同図に示すように，接触部材３１０ａは，接続回路基板３０１から退避している。従って，現像器３０９ａへの高電圧の印加は行われていない。この場合，前記現像器３０９ａは未現像状態であり，この現像器３０９ａを除く他の三つの現像器のいずれか一つだけが現像状態にある。即ち，現像状態にあるいずれか一つの現像器を除く残りの三つの現像器は，図７に示すような状態として高電圧の印加は行われていない。
【０１０５】
　以降，未現像状態にある現像器の現像順番になると，ソレノイド３２０ａに電源が印加され，ホルダ３１９ａが接続回路基板３０１に向かって前進するようになる。これにより，図９に示すように，ホルダ３１９ａに接続されている接触部材３１０ａの上端部である環状部３１１ａが前記接続回路基板３０１のＰＣＢ入力端子３０３ａに接続されるようになる。
【０１０６】
　図９における符号３２７の矢印は，ソレノイド３２０ａに電源が印加され，接触部材３１０ａの上端部である環状部３１１ａが前記接続回路基板３０１のＰＣＢ入力端子３０３ａに接続することで高電圧が印加される時の高電圧の流れ経路を示すものである。即ち，接続回路基板３０１のＰＣＢ入力端子３０３ａから接触部材３１０ａを介してＰＣＢ出力端子３１７ａを経て，端子接続部３０５ａ，固定接点端子３０７ａを経て現像器３０９ａに高電圧が印加されるようになる。
【０１０７】
　上述したように，第２の実施の形態に係る現像器の電圧供給装置における電圧印加の流れ順を（１）〜（８）に要約して示すと，以下の通りである。
【０１０８】
　（１）ソレノイド３２０ａに電源印加，（２）接触部材３１０ａの上端部である環状部３１１ａが接続回路基板３０１のＰＣＢ入力端子３０３ａに接続，（３）高電圧が発生して高電圧印加，（４）該当現像器の現像完了，（５）高電圧断続，（６）ソレノイド３２０ａの電源断続，（７）接触部材３１０ａの上端部である環状部３１１ａが前記接続回路基板３０１のＰＣＢ入力端子３０３ａから退避，（８）他の色相の現像器のソレノイド（例えば，３２０ｂ）に電源印加，である。
【０１０９】
　上記のようにカラー画像を印刷時，上記番号１〜７までの順に沿ってその過程を行なうことにより該当色の現像が完了し，他の現像器の現像のために上記番号１〜７までの順に沿ってその過程を繰り返し行なうことにより他の色の現像が行われる。
【０１１０】
　上記のような過程を繰り返し行なうことにより感光媒体に形成された静電潜像が可視的なカラー画像として現像される。この時，上記のような現像過程において，それぞれの色別の現像器が固定された状態でこれらの現像器に順次に高電圧が印加されるため，従来の現像器移動方式で問題とされていた感光媒体の負荷変動による画質の劣化という問題が解消できる。
【０１１１】
　本実施の形態にかかる現像器の電圧供給装置により，現像器の入れ換え時における接触衝撃による画像品質の劣化及び感光体の寿命の低下を抑え，高圧接点の切換の信頼性を高めるために現像器を移動することなく固定した状態で，比較的に簡単な構造の電圧切換ユニットを使用して接点の切換を行なうことができる。
【０１１２】
　また，本実施の形態にかかる現像器の電圧供給装置により，高電圧切換装置を長時間使用しても接触部材の変形が発生することなく常に安定した高電圧が印加されるようにすることができる。
【０１１３】
　また，本実施の形態にかかる現像器の電圧供給装置により，高圧供給源から現像器までに電圧を供給するのに要する高圧ワイヤハーネスの数が低減できる電圧切換ユニットを備えることができる。
【０１１４】
　以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０１１５】
　また，添付した特許請求の範囲の思想及び範囲を逸脱することなく，本発明に対する多数の変更及び修正が可能であることは当業者にとっては自明なことである。
従って，かかるすべての好適な変更及び修正と均等物等も本発明の範囲に属するものとみなすべきである。
【０１１６】
　上記実施形態において，高電圧切換装置は，カラーレーザープリンタのみならず，現像器への印加電圧の順次的制御を必要とする各種のプリンタ，複写機，複合機等に適用され得る。
【産業上の利用可能性】
【０１１７】
　本発明は，電子写真方式を用いる現像器を有するカラー複写機，カラープリンタ等の電子写真方式のカラー画像形成装置に適用可能である。
【図面の簡単な説明】
【０１１８】
【図１】従来のカラー画像形成装置の概略図である。
【図２】図１に示すカラー画像形成装置における現像器の電圧供給装置の概略図である。
【図３】第１の実施の形態に係る現像器の電圧供給装置の概略図である。
【図４】図３に示す電圧供給装置の高圧供給源，電圧切換ユニット，及びそれぞれの現像器間の接続関係を例示する平面図である。
【図５】図３に示す電圧供給装置における電圧切換ユニットのリレー部の斜視図である。
【図６ａ】図３に示す電圧供給装置における電圧切換ユニットのリレー部の動作を例示する側面図である。
【図６ｂ】図３に示す電圧供給装置における電圧切換ユニットのリレー部の動作を例示する側面図である。
【図７】第２の実施例に係る現像器の電圧供給装置の概略的な構成を示す説明図である。
【図８】第２の実施例に係る現像器の電圧供給装置の概略的な構成を示す説明図である。
【図９】図７に示す電圧切換ユニットの作動の一例を説明するための説明図である。
【符号の説明】
【０１１９】
１０　　：画像形成装置
１１　　：感光体
３１２　：感光体
１２　　：帯電器
１３　　：現像ローラー
１５　　：現像剤供給ローラー
１６　　：現像剤収容部
２０　　：レーザースキャニングユニット
３１　　：現像器
３２　　：現像器
３３　　：現像器
３４　　：現像器
１３１　：現像器
１３２　：現像器
１３３　：現像器
１３４　：現像器
３０９ａ：現像器
３５　　：カム
３６　　：カム
３７　　：カム
３８　　：カム
６０　　：転写搬送部
７４　　：解除スプリング                        
９０　　：高圧供給源
１９０　：高圧供給源
１００　：電圧供給装置                  
１１０　：電圧切換ユニット
１９１　：リレー部                              
１９１ｄ：リレー入力端子
１９１ｅ：リレー入力端子
１９１ｆ：リレー入力端子
１９１ｄ´：リレー入力端子
１９１ｅ´：リレー入力端子
１９１ｆ´：リレー出力端子
１９５　　：接続ＰＣＢ
３０１　　：接続ＰＣＢ
１９８　　：端子接続部
２０１　　：保持部材
２０２　　：電磁石
２０４　　：アーマチュア
２１０　　：拡大運動部材
２２０　　：カバー体
３２１ａ　：ソレノイド部
３１９ａ　：ホルダ
３１０ａ　：接触部材
【図１】
2004126584.tif 000003
【図２】
2004126584.tif 000004
【図３】
2004126584.tif 000005
【図４】
2004126584.tif 000006
【図５】
2004126584.tif 000007
【図６ａ】
2004126584.tif 000008
【図６ｂ】
2004126584.tif 000009
【図７】
2004126584.tif 000010
【図８】
2004126584.tif 000011
【図９】
2004126584.tif 000012